(57)【特許請求の範囲】
【請求項１】
本体と、本体の左右方向側に対称に配設された脚部とを有し、全体がエラストマー材料を用いて一体的に形成されたソフトルアーであって、
上記脚部は、上記本体から突出するように接続されたＬ字状のエルボ部と、これに延設された延設部とを備えており、
上記本体の反リトリーブ方向側の端面には、当該方向に延設されたスタビライザーがさらに設けられており、
上記スタビライザーの先端部に、平板状部材がさらに延設されているソフトルアー。
【請求項２】
請求項１記載のソフトルアーにおいて、
上記スタビライザーは、細長の帯状部材を含むことを特徴とするソフトルアー。
【請求項３】
請求項１または２記載のソフトルアーにおいて、上記平板状部材の厚み方向は、上記本体の左右方向に沿っていることを特徴とするソフトルアー。
【請求項４】
本体と、本体の左右方向側に対称に配設された脚部とを有し、全体がエラストマー材料を用いて一体的に形成されたソフトルアーであって、
上記脚部は、上記本体から突出するように接続されたＬ字状のエルボ部と、これに延設された延設部とを備えており、
上記延設部の外形形状は、上記エルボ部に接続された基端部から先端部にかけて漸次縮小されたテーパ状に形成されていることを特徴とするソフトルアー。
【請求項５】
請求項１ないし４のいずれかに記載のソフトルアーにおいて、
上記延設部は、ソフトルアーのリトリーブ方向に延びていることを特徴とするソフトルアー。
【請求項６】
請求項１ないし５のいずれかに記載のソフトルアーにおいて、
上記延設部の断面形状は楕円状を呈しており、その長軸方向は上記本体の上下方向に沿っていることを特徴とするソフトルアー。
【請求項７】
請求項１ないし６のいずれかに記載のソフトルアーにおいて、
上記延設部には、当該延設部の長手方向に直交する方向に沿って複数の節部が形成されていることを特徴とするソフトルアー。
【請求項８】
請求項１ないし７のいずれかに記載のソフトルアーにおいて、
上記本体は、ソフトルアーのリトリーブ方向に沿って延びる細長棒状部材を含むことを特徴とするソフトルアー。
【請求項９】
請求項８記載のソフトルアーにおいて、
上記本体の上記リトリーブ方向側の端面は、湾曲面に形成されていることを特徴とするソフトルアー。
【請求項１０】
請求項１ないし９のいずれかに記載のソフトルアーにおいて、
上記本体には、ソフトルアーのリトリーブ方向に直交する方向に沿って複数の節部が形成されていることを特徴とするソフトルアー。
【発明の詳細な説明】
【０００１】
【発明の属する技術の分野】
この発明は、魚釣りに使用するルアーに関するものであり、特にエラストマー材料により構成されたソフトルアーの構造に関するものである。
【０００２】
【従来の技術および発明が解決しようとする課題】
ルアーフィッシングという釣りのジャンルでは、疑似餌すなわちルアーを用いて魚を釣る。この釣りでは、ラインに連結されたルアーをロッドを用いて水中にキャストし、リールを用いてラインを巻き取りながらルアーをリトリーブする。リトリーブ中のルアーの動きは、できる限り生き餌の動きに近い方が釣果が上がる。
【０００３】
ルアーにはさまざまな種類があるが、従来からエラストマー材料により形成されたソフトルアーが提供されている。このソフトルアーは、ゴカイやエビ等の姿態に酷似した形態を有し、一般にゴムにより形成されている。
【０００４】
図９は、従来のエビに似せたソフトルアーを図示したものである。同図に示すように、このソフトルアー１は、エビの胴体および頭部に似せた本体部２と、本体部２から左右外方に突出された脚部３，４とを備えている。そして、このソフトルアー１にはフック５が装着され、このフック５にライン６が連結されている。ライン６は矢印７の方向（リトリーブ方向）に引かれ、これによりソフトルアー１も同方向にリトリーブされる。
【０００５】
ところで、ソフトルアー１全体がゴム製の柔らかいものであるところ、本体部２から突出された脚部３，４は、リトリーブ中に上下左右に不安定に揺動し、その結果、ソフトルアー１がリトリーブされる方向（ライン６の方向）を中心として回転してしまうことがある。このようにソフトルアー１が回転してしまうと、ソフトルアー１の動きが生き餌の動きとは異なり、釣果の向上が望めない。
【０００６】
そこで、本発明の目的は、リトリーブ中の回転を防止して生き餌に近似した動きを可能とするソフトルアーを提供することである。
【０００７】
【課題を解決するための手段】
(1)  本願発明者は、リトリーブ中におけるソフトルアーの脚部の不安定な揺動を抑えることにより、ソフトルアーの回転を防止できることを知得した。
【０００８】
(2)  そこで、上記目的を達成するため、本願に係るソフトルアーは、本体と、本体の左右方向側に対称に配設された脚部とを有し、全体がエラストマー材料を用いて一体的に形成されたソフトルアーであって、上記脚部は、上記本体から突出するように接続されたＬ字状のエルボ部と、これに延設された延設部とを備えていることを特徴とするものである。
【０００９】
この構成によれば、本体に脚部を備えることにより、たとえばエビ等に似せた疑似餌を形成することができる。ここで、ソフトルアーを平面視した場合の左右の方向（横の方向）をソフトルアーの「左右方向」と、縦の方向（ソフトルアーのリトリーブ方向と一致）をソフトルアーの「長手方向」と、左右方向および長手方向に直交する方向をソフトルアーの「上下方向」と定義する。なお、上記長手方向は、ソフトルアーのリトリーブ方向および反リトリーブ方向を含む概念である。
【００１０】
脚部はエルボ部を介して本体に取り付けられているが、このエルボ部は剛性が高いから変形しにくく、且つ延設部はエルボ部に連続して片持ち状に本体に沿って配置される。したがって、ソフトルアーを水中で移動させた際には、延設部の基端部（すなわちエルボ部に連結された部分）の変形が少なく、延設部の基端部より先端側が大きく左右方向に翼を広げたように変形する。これにより、延設部の不安定な上下方向の揺動が抑えられると共に、延設部の基端部より先端側の部分が良好に振動する。その結果、ソフトルアーの回転を防止することができることに加えて、振動を発生して集魚効果を上げることができる。
【００１１】
(3)  上記延設部は、ソフトルアーのリトリーブ方向（長手方向）に延びるように形成することができる。このようにすれば、リトリーブアクションに合わせて延設部が左右方向に開閉し、生き餌が遊泳する動きに似せたアクションが可能となる。
【００１２】
また、上記延設部の外形形状は、上記エルボ部に接続された基端部から先端部にかけて漸次縮小されたテーパ状に形成することができる。このようにすれば、延設部の基端部側ほどその断面係数が大きくなり、基端部側ほどリトリーブ中の変形が小さくなる。これにより、延設部の先端側がさらに小刻みな振動を生じ、集魚効果をさらに向上させることができる。
【００１３】
さらに、上記延設部の断面形状は楕円状を呈しており、その長軸方向が上記本体の上下方向に沿うように配置することもできる。このようにすれば、次の作用を奏する。すなわち、延設部は、上述のようにエルボ部に連続して片持ち状に配置されるが、延設部の上下方向の変位（撓み）は非常に小さくなる。これにより、延設部の不安定な上下方向の揺動を一層抑えることができ、ソフトルアーの回転を一層防止することができる。
【００１４】
特に、上記延設部には、当該延設部の長手方向に直交する方向に沿って複数の節部を形成することもできる。このようにすれば、ソフトルアーをリトリーブする際に、延設部に当たる水流が節部に沿って整流される。これにより、延設部周辺に乱流が生じるのを抑えることができ、延設部の不安定な上下方向の揺動をなお一層抑えることができるという利点がある。
【００１５】
(4)  上記本体の反リトリーブ方向側の端面には、当該方向に延設されたスタビライザーを設けることができる。このようにすれば、リトリーブ中の本体のローリングを抑えることができ、ソフトルアーの回転をさらに抑えることができる。
【００１６】
特に、上記スタビライザーは、細長の帯状部材により構成することもできる。このようにすれば、帯状部材が水流に沿って靡くことによって、本体のローリングを一層抑えることができるという利点がある。
【００１７】
さらに、このスタビライザーの先端部に平板状部材を延設し、当該平板状部材の厚み方向は、上記本体の左右方向に沿うように配置することができる。このようにすれば、板状部材が水流に対していわゆる舵の役目を果たし、より一層本体のローリングを抑えることができるという利点がある。
【００１８】
(5)  上記本体は、ソフトルアーのリトリーブ方向に沿って延びる細長棒状部材により構成することもできる。このようにすれば、本体自体の水の抵抗を小さくすることができ、リトリーブ中のソフトルアーの回転を抑えることが可能となる。
【００１９】
特に、上記本体の上記リトリーブ方向側の端面を湾曲面に形成することにより、本体周辺の水流を整流することができ、一層ソフトルアーの回転を抑えることができる。
【００２０】
さらに、上記本体には、リトリーブ方向に直交する方向に沿って複数の節部を形成することもできる。このようにすれば、節部に沿う水流を整流することが可能となり、より一層ソフトルアーの回転を抑えることができる。
【００２１】
【発明の実施の形態】
以下、本発明の実施の形態について説明する。
【００２２】
図１は、本発明の一実施形態に係るソフトルアー１０の正面図であって、ソフトルアー１０を平面視した状態を示している。また、図２〜図４は、それぞれ図１におけるＡ−Ａ矢視図、Ｂ−Ｂ矢視図、Ｃ−Ｃ矢視図である。なお、図１において矢印Ｐは、ソフトルアー１０のリトリーブ方向を示している。このリトリーブ方向Ｐは、ソフトルアー１０の長手方向と一致するが、この「ソフトルアー１０の長手方向」の概念には、リトリーブ方向Ｐおよび反リトリーブ方向が含まれる。
【００２３】
これらの図（特に図１）を参照して、このソフトルアー１０は、たとえば合成ゴムにより一体的に形成されており、図に示すようにエビに似せた疑似餌として構成されている。ソフトルアー１０を構成する材料は合成ゴムに限定されることなく、十分な可撓性を有していれば一般的なエラストマー材料を用いることができる。
【００２４】
ソフトルアー１０は、エビの頭部、胸部および腹部に似せた本体１１と、本体１１の左右両側に設けられた脚部１２〜１５および本体１１の先端に設けられたスタビライザー１６、１７とを備えている。このスタビライザー１６、１７は、矢印Ｐの方向と逆方向（反リトリーブ方向）に延びている。スタビライザー１６，１７の作用効果は後述するが、疑似餌としてはエビのヒゲに似せたものである。
【００２５】
(1)  本体
本体１１は、図１および図２に示すように、略紡錘形の細長棒状部材により構成されている。この本体１１には、先端側（頭部側）から節部１８〜２０および節部２１が形成されている。この節部１８〜２１は、本体１１を周方向に絞って環状の凹部を形成することにより構成されている。節部１８〜２０によって、エビの頭部および胸部に似せた形態を呈しており、節部２１によって、エビの腹部に似せた形態を呈している。
【００２６】
本体１１の長手方向の下面、すなわち矢印Ｐの方向にリトリーブされるソフトルアー１０のリトリーブ側端面２５は、図に示すような滑らかな湾曲面に形成されている。これらリトリーブ側端面２５および節部２１の作用効果については後述する。
【００２７】
本体１１の先端には上記スタビライザー１６、１７が形成されているが、各スタビライザー１６，１７は、それぞれ細長帯状の基部２２と、この先端部に設けられた平板部２３（平板状部材）とを有している。スタビライザー１６，１７の長さについては、本体１１の長手方向長さの４０％〜７０％程度に設定することができる。
【００２８】
基部２２は、本実施形態ではいわゆる紐状に形成されているが、断面形状をさらに扁平させてテープ状に形成することもできる。また、本実施形態では、基部２２の基端部（本体１１との連結部）に、肉盛部２４が形成されている。これにより、疑似餌としてエビの目に似せた形態を呈している。
【００２９】
また、図２に示すように、平板部２３は略楕円状に形成されており、一定の厚みｔ（図１参照）を有している。平板部２３は、図に示すように、その厚みｔ方向が左右方向に沿うように配置されている。平板部２３は、その長軸の長さが基部２２の長さの２０％〜４０％、短軸の長さが長軸の長さの３０％〜７０％程度の大きさに設定することができる。
【００３０】
(2)  脚部
脚部１２〜１５については、脚部１２，１３が本体１１の上部に左右対称に設けられ、脚部１４，１５が本体１１の下部に左右対称に設けられている。これにより、脚部１２，１３は疑似餌としてのエビの前脚に似せた形態を呈しており、脚部１４，１５は疑似餌としてのエビの後脚に似せた形態を呈している
脚部１２について詳述する。
【００３１】
脚部１２は、エルボ部２６と、これに連続する延設部２７とを有している。エルボ部２６は、図に示すように略Ｌ字状に屈曲形成されており、一端側が本体１１に接続され、他端側に連続して延設部２７が延びている。すなわち、延設部２７は、エルボ部２６を介して片持ち状に支持されており、延設部２７の長手方向は、本体１１の長手方向に略沿うように配置されている。
【００３２】
また、エルボ部２６はかかるＬ字状に屈曲形成されているから、この部分の剛性は延設部２７にくらべて非常に大きく、そのためエルボ部２６は変形しにくくなっている。
【００３３】
さらに、エルボ部２６によって、脚部１２全体が本体１１の外方へ突出するが、このときの突出寸法をｖとし、延設部２７の長さ（延設寸法）をｓとすれば、本実施形態では、ｖ／ｓが１／１４となるように設定されている。もっとも、このｖ／ｓの値はこれに限定されるものではなく、１／５〜１／２０の範囲で設定することができる。
【００３４】
図３に示すように、延設部２７はテーパ状に形成されており、その外形形状は、エルボ部２６に接続された基端部から先端部にかけて漸次縮小されている。さらに、延設部２７の断面形状は楕円状に形成されており、その楕円の長軸が上下方向に沿うように配置されている。本実施形態では、延設部２７の断面形状として楕円形状を採用しているが、これに限定されることなく、矩形状等に形成することもできる。
【００３５】
また、延設部２７には、複数の節部２８が形成されている。この節部２８は、上記本体１１の節部１８等と同様に、延設部２７を周方向に絞って環状の凹部を形成することによる構成されている。本実施形態では、節部２８は４カ所に設けられているが、これに限定されることはなく、さらに多数の節部を設けることができる。
【００３６】
なお、脚部１３は脚部１２と左右対称に形成されているので、その詳しい説明は省略する。脚部１２，１３の作用効果については後述する。
【００３７】
次に、図１を参照して脚部１４について詳述する。
【００３８】
脚部１４は、脚部１２と同様にエルボ部２９と、これに連続する延設部３０とを有している。エルボ部２９は、図に示すように略Ｌ字状に屈曲形成されており、一端側が本体１１に接続され、他端側に連続して延設部３０が延びている。すなわち、延設部３０についても延設部２７と同様に、エルボ部２９を介して片持ち状に支持されており、延設部３０の長手方向は、本体１１の長手方向に略沿うように配置されている。
【００３９】
ただし、上記エルボ部２６が図１において上方（すなわち反リトリーブ方向）に屈曲され、且つ延設部２７が同方向に延びているのに対し、このエルボ部２９はリトリーブ方向（矢印Ｐの方向）に屈曲され、且つ延設部３０が同方向に延びている点で異なっている。
【００４０】
そして、エルボ部２９はかかるＬ字状に屈曲形成されているから、この部分の剛性は延設部３０にくらべて非常に大きく、そのためエルボ部２９が変形しにくくなっている。さらに、脚部１４についても、上記ｖ／ｓの値は、１／１２となるように設定されている。脚部１２と同様に、このｖ／ｓの値はこれに限定されるものではなく、１／５〜１／２０の範囲で設定することができる。
【００４１】
図４に示すように、延設部３０についても、延設部２７と同様にテーパ状に形成されており、その外形形状は、エルボ部２９に接続された基端部から先端部にかけて漸次縮小されている。また、延設部３０の断面形状についても、延設部２７と同様に楕円状に形成されており、その長軸が上下方向に沿うように配置されている。延設部３０の断面形状として楕円形状の他に矩形状等を採用することができる点についても、上記延設部２７と同様である。
【００４２】
延設部３０には、上記節部２８と同様の複数の節部３１が形成されている。この節部３１は、延設部３０を周方向に絞って環状の凹部を形成することにより構成されている。本実施形態では、節部３１は３カ所に設けられているが、これに限定されることはなく、さらに多数の節部を設けることができる。
【００４３】
なお、脚部１５は脚部１４と左右対称に形成されているので、その詳しい説明は省略する。脚部１４，１５の作用効果については後述する。
【００４４】
(3)  ソフトルアーの使用要領
次に、ソフトルアー１０の使用要領について作用効果と共に説明する。
【００４５】
まず、図１に示すように、フック３２をソフトルアー１０に差し込んで固定する。その状態でソフトルアー１０をキャストし、リトリーブを開始する。
【００４６】
このとき、脚部１４，１５および脚部１２，１３は、それぞれエルボ部２９，２６を介して本体１１に取り付けられているが、これらエルボ部２９，２６は上述のように変形しにくく、しかも延設部３０，２７は片持ち状に本体１１に沿って配置される。したがって、ソフトルアー１０をリトリーブした際には、延設部３０の基端部（すなわちエルボ部２９に連結された部分）の変形が少なく、延設部３０の基端部より先端側が、矢印３３に示す方向に翼を広げたように変形する。一方、延設部２７の基端部についてもその変形が少なく、延設部２７の基端部より先端側が左右方向に変形する。
【００４７】
これにより、延設部３０，２７の不安定な上下方向の揺動が抑えられる。しかも、延設部３０，２７の基端部より先端側の部分が振動する。つまり、リトリーブ中におけるソフトルアー１０の回転を防止することができるうえ、振動を発生して集魚効果を上げることができる。その結果、リトリーブされるソフトルアー１０の動きを生き餌の動きに酷似させることができ、上記振動による集魚効果と相まって釣果を向上させることが可能である。
【００４８】
特に本実施形態では、次のような作用効果を奏する。
【００４９】
延設部３０，２７は、ソフトルアーの長手方向に延びるように形成されている。これにより、リトリーブアクションに合わせて延設部３０，２７が左右方向に開閉する。特に延設部３０はリトリーブ方向に延びているからその開閉運動は顕著である。したがって、生き餌が遊泳する動きにきわめて近似したルアーアクションが可能となる。
【００５０】
なお、本実施形態では、エルボ部２６，２９の角度を略９０°に設定しているが、この角度は、９０°〜４５°の範囲で設定することができる。すなわち、かかる範囲でエルボ部２６，２９の角度を設定しても、上述と同様の作用効果を奏する。
【００５１】
また、延設部３０，２７はテーパ状に形成されているから、延設部３０，２７の基端部側ほどその断面係数が大きくなり、基端部側ほど変形が小さくなる。これにより、延設部３０，２７の先端側がさらに小刻みな振動を生じ、集魚効果をさらに向上させることができる。したがって、釣果の向上を一層期待することができる。もっとも、延設部３０，２７をかかるテーパ状に形成することは必須の要件ではなく、このようなテーパを無くすこともできる。
【００５２】
さらに、延設部３０，２７の断面形状は楕円状を呈しており、その長軸方向が本体１１の上下方向に沿うように配置されているから（図３、図４参照）、リトリーブに際して延設部３０，２７の上下方向の撓み（変位）を非常に小さくすることができる。これにより、延設部３０，２７の不安定な上下方向の揺動を一層抑えることができ、リトリーブ中のソフトルアー１０の回転を一層防止して生き餌の動きにさらに近似させることができる。
【００５３】
また、延設部３０，２７には、節部３１，２８が形成されているから、ソフトルアー１０をリトリーブしたときに延設部３０，２７に相対的に当たる水流が節部３１，２８によって整流される。これにより、延設部３０，２７周辺に乱流が生じるのを抑えることができ、延設部３０，２７の不安定な上下方向の揺動をなお一層抑えることができるという利点がある。
【００５４】
さらに、上記ｖ／ｓの値を１／１０，１／１２に設定しているので、リトリーブ中において、延設部３０，２７の基端部を略固定状態にし、延設部３０，２７の基端部より先端側のみを振動させることができる。したがって、延設部３０，２７の不安定な上下方向の揺動が確実に抑えられ、ソフトルアー１０の回転を確実に防止することができる。
【００５５】
加えて、本実施形態では、さらに次のような作用効果を奏する。
【００５６】
まず、本体１１にはスタビライザー１６，１７が設けられているから、リトリーブ中の本体１１のローリングを抑えることができる。これにより、ソフトルアー１０の回転をさらに抑えることができる。特に、スタビライザー１６，１７は、細長の帯状に形成されているから、スタビライザー１６，１７が水流に沿って靡くことによって、本体１１のローリングを一層抑えることができるという利点がある。
【００５７】
さらに、スタビライザー１６，１７には平板部２３が設けられているから、平板部２３が水流に対していわゆる舵の役目を果たし、より一層本体１１のローリングを抑えることができるという利点がある。
【００５８】
しかも、本体１１は、ソフトルアー１０のリトリーブ方向Ｐに沿って延びる細長棒状に形成されているから、本体１１自体の水の抵抗を小さくすることができる。これにより、リトリーブ中のソフトルアー１０の回転をさらに抑えることができる。
【００５９】
また、本体１１のリトリーブ側端面２５を湾曲面に形成しているから、リトリーブ中に本体１１の周辺の相対的水流を整流することができ、一層ソフトルアー１０の回転を抑えることができる。
【００６０】
さらに、本体１１には、複数の節部２１を形成しているから、節部２１に沿う相対的水流を整流することが可能となる。これによりなお一層ソフトルアー１０の回転を抑えることができる。
【００６１】
このように、本体１１のローリング（回転）を強力に防止することができるので、リトリーブされるソフトルアー１０は、生き餌の動きにきわめて近似したものとなる。
【００６２】
(4)  実施形態の変形例
次に、上記実施形態の変形例について説明する。
【００６３】
図５は、上記実施形態の変形例に係るソフトルアー４０の正面図であって、ソフトルアー４０を平面視した状態を示している。また、図６〜図８は、それぞれ図５におけるＤ−Ｄ矢視図、Ｅ−Ｅ矢視図、Ｆ−Ｆ矢視図である。なお、図５において矢印Ｐは、ソフトルアー４０のリトリーブ方向を示している。
【００６４】
この変形例に係るソフトルアー４０が上記実施形態に係るソフトルアー１０と異なる点は、ソフトルアー１０が脚部１２〜１５を備えていたのに対して、変形例に係るソフトルアー４０は上記脚部１４，１５を備えていない点である。なお、その他の構成についてはソフトルアー１０と同様であるので、同様の構成については図１〜図４で示した参照符号と同様の参照符号を付している。
【００６５】
この変形例に示すように上記脚部１４，１５を省略したとしても、ソフトルアー４０をキャストし、リトリーブする際には次のような動きをする。
【００６６】
すなわち、図５を参照して、脚部１２，１３は、それぞれエルボ部２６を介して本体１１に取り付けられ、延設部２７は片持ち状に本体１１に沿って配置されるから、延設部２７の基端部（すなわちエルボ部２６に連結された部分）の変形が少なく、延設部２７の基端部より先端側が左右方向に変形する。
【００６７】
これにより、延設部２７の不安定な上下方向の揺動が抑えられると共に、延設部２７の基端部より先端側の部分が振動する。つまり、リトリーブ中におけるソフトルアー４０の回転を防止することができるうえ、振動を発生して集魚効果を上げることができる。その結果、リトリーブされるソフトルアー４０の動きを生き餌の動きに酷似させることができ、上記振動による集魚効果と相まって釣果を向上させることが可能である。
【００６８】
【発明の効果】
以上のように本願発明によれば、延設部の不安定な上下運動を防止してリトリーブ中のソフトルアーの回転を防止することができるので、リトリーブされるソフトルアーの動きを生き餌の動きに酷似させることができる。しかも、延設部が左右方向に開閉し振動するので、集魚効果も向上する。
【図面の簡単な説明】
【図１】本発明の一実施形態に係るソフトルアーの正面図である。
【図２】図１におけるＡ−Ａ矢視図である。
【図３】図１におけるＢ−Ｂ矢視図である。
【図４】図１におけるＣ−Ｃ矢視図である。
【図５】本発明の一実施形態の変形例に係るソフトルアーの正面図である。
【図６】図５におけるＤ−Ｄ矢視図である。
【図７】図５におけるＥ−Ｅ矢視図である。
【図８】図５におけるＦ−Ｆ矢視図である。
【図９】従来のエビに似せたソフトルアーを図示したものである。
【符号の説明】
１０  ソフトルアー
１１  本体
１２  脚部
１３  脚部
１４  脚部
１５  脚部
１６  スタビライザ
１７  スタビライザ
１８  節部
１９  節部
２０  節部
２１  節部
２３  平板部
２５  リトリーブ側端面
２６  エルボ部
２７  延設部
２８  節部
２９  エルボ部
３０  延設部
３１  節部
４０  ソフトルアー
【図１】
0003848088.tif 000002
【図２】
0003848088.tif 000003
【図３】
0003848088.tif 000004
【図４】
0003848088.tif 000005
【図５】
0003848088.tif 000006
【図６】
0003848088.tif 000007
【図７】
0003848088.tif 000008
【図８】
0003848088.tif 000009
【図９】
0003848088.tif 000010